(57)【要約】【課題】ジャッキを用いることなく、主ロープの長さを調整するエレベータの主ロープ張力調整装置及び主ロープ張力調整方法の提供。【解決手段】３つの主ロープ１４の先端にそれぞれ連結されたシンブルロッド１１と、これらシンブルロッド１１の一端を導出させた状態で保持する梁７と、各シンブルロッド１１にそれぞれ螺合した張力調整ナット１６と、これらの張力調整ナット１６をそれぞれ締付けるロックナット１７と、各張力調整ナット１６と梁７との間にそれぞれ設けられたばね部材１９とを有するエレベータに備えられ、各シンブルロッド１１に係合し、ばね部材１９の上端側に当接するプレート２２と、各シンブルロッド１１に係合し、ロックナット１７それぞれの下端側に当接してこれらのロックナット１７を支持する支持材２１と、プレート２２と梁７とを挟持してばね部材１９を圧縮可能な荷締めベルト２３とを備えた。【選択図】図３
2011079639.tif 000002
【特許請求の範囲】
【請求項１】
乗かご及び釣合い錘を懸垂する複数の主ロープの先端にそれぞれ連結されたシンブルロッドと、これらシンブルロッドの一端を導出させた状態でこのシンブルロッドを保持する保持部材と、前記各シンブルロッドにそれぞれ螺合した張力調整ナットと、これらの張力調整ナットをそれぞれ締付けるロックナットと、前記各張力調整ナットと前記保持部材との間にそれぞれ設けられたばね部材とを有するエレベータに備えられ、
前記各シンブルロッドに係合し、前記ばね部材の上端側に当接するプレートと、前記各シンブルロッドに係合し、前記ロックナットそれぞれの下端側に当接してこれらのロックナットを支持する支持材とを備え、前記複数の主ロープの張力を均等に調整するエレベータの主ロープ張力調整装置において、
前記プレートと前記保持部材とを挟持して前記ばね部材を圧縮可能な狭圧治具を備えたことを特徴とするエレベータの主ロープ張力調整装置。
【請求項２】
請求項１に記載のエレベータの主ロープ張力調整装置において、
前記支持材は、開口部を下方に向けて前記保持部材に立設するコ字型形状に形成され、前記シンブルロッドに係合する溝又は貫通孔とを有することを特徴とするエレベータの主ロープ張力調整装置。
【請求項３】
請求項１又は２に記載のエレベータの主ロープ張力調整装置において、
前記狭圧治具は荷締めベルトから成ることを特徴とするエレベータの主ロープ張力調整装置。
【請求項４】
請求項１又は２に記載のエレベータの主ロープ張力調整装置において、
前記狭圧治具はシャコ万力から成ることを特徴とするエレベータの主ロープ張力調整装置。
【請求項５】
乗かご及び釣合い錘を懸垂する複数の主ロープの先端にそれぞれ連結されたシンブルロッドと、これらシンブルロッドの一端を導出させた状態でこのシンブルロッドを保持する保持部材と、前記各シンブルロッドにそれぞれ螺合した張力調整ナットと、これらの張力調整ナットをそれぞれ締付けるロックナットと、前記各張力調整ナットと前記保持部材との間にそれぞれ設けられたばね部材とを有するエレベータに備えられ、前記各シンブルロッドに係合し、前記ばね部材の上端側に当接するプレートと、前記各シンブルロッドに係合し、前記ロックナットそれぞれの下端側に当接してこれらのロックナットを支持する支持材と、前記プレートと前記保持部材とを挟持して前記ばね部材を圧縮可能な狭圧治具とを備え、前記複数の主ロープの張力を均等に調整するエレベータの主ロープ張力調整装置に用いるエレベータの主ロープ張力調整方法において、
前記各ロックナットを緩めて前記支持材をこれらのシンブルロッドに係合させ、前記ロックナットそれぞれの下端側に当接させてこれらのロックナットを支持すると共に、前記プレートを前記各シンブルロッドに係合させて前記各ばね部材の上端側に当接し、
その後前記狭圧治具の力によって前記プレートと前記保持部材とを挟持し、前記各ばね部材を圧縮し、この状態で前記張力調整ナットによって前記各ばね部材を締付け、前記狭圧治具による前記プレートと前記保持部材に与えていた挟持力を解放することにより、圧縮していた前記各ばね部材を伸長させて前記プレート、前記張力調整ナット、及び前記シンブルロッドを前記ばね部材のばね力によって上方に移動させ、
この状態で前記狭圧治具を前記プレートと前記保持部材とから取り外し、次に前記プレートを前記各シンブルロッドから取り外すと共に、前記支持材を前記各シンブルロッドから取り外して前記各ロックナットを前記張力調整ナットに締付けることを特徴とするエレベータの主ロープ張力調整方法。
【発明の詳細な説明】
【技術分野】
【０００１】
本発明は、複数の主ロープの張力を均等に調整するエレベータの主ロープ張力調整装置及び主ロープ張力調整方法に関する。
【背景技術】
【０００２】
一般に、エレベータは、昇降路内に設置されたガイドレールに案内されて昇降する乗かごと、この乗かごと相対的に昇降する釣合い錘と、昇降路内に設置された巻上機のシーブに巻き掛けられ、乗かごと釣合い錘とを懸垂する複数の主ロープとを備えている。
【０００３】
また、エレベータは、複数の主ロープの先端にそれぞれ連結されたシンブルロッドと、これらシンブルロッドの一端を導出させた状態で保持する保持部材と、各シンブルロッドにそれぞれ螺合した張力調整ナットと、これらの張力調整ナットをそれぞれ締付けるロックナットと、各張力調整ナットと保持部材との間にそれぞれ設けられ、主ロープに張力を与えるばね部材とを備えている。そして、巻上機を駆動してそのシーブを回転させることにより、複数の主ロープを介して釣合い錘と乗かごが相対して昇降する。
【０００４】
このように構成されたエレベータの主ロープには、常に乗かごと釣合い錘の重さがかかっているので、経年的に伸びが発生する。そのため、この主ロープの伸びが特定の長さを越えると乗かごが最上階位置に移動する前に釣合い錘が昇降路の下部に衝突し、乗かご内の乗客が怪我をしたり、あるいはエレベータの機器が破損する等の不具合が生じる虞がある。
【０００５】
従って、作業者が主ロープを点検した際に、主ロープの伸びが設定された規定値を越える懸念が生じた場合に各シンブルロッドにおける各張力調整ナットの位置を変え、これらのシンブルロッドを上方へ移動させて固定することにより、主ロープの長さを調整する必要がある。しかし、各張力調整ナットには、乗かごと釣合い錘の重さがかかっているので、この状態においてスパナ等で各張力調整ナットを緩めるには非常に大きな力が必要であり、主ロープの長さを調整することは困難となっていた。
【０００６】
そこで、各シンブルロッドに係合し、ばね部材の上端側に当接するプレートと、各シンブルロッドに係合し、ロックナットそれぞれの下端側に当接するプレート、すなわち各シンブルロッドに係合し、ロックナットそれぞれの下端側に当接してこれらのロックナットを支持する支持材と、ばね部材の上端側に当接するプレートと支持材との間に配置され、このプレートと支持材との間隔を押し広げる方向に伸張可能なジャッキとを備え、複数の主ロープの張力を均等に調整するエレベータの主ロープ張力調整装置が従来提案されている（例えば、特許文献１参照）。
【先行技術文献】
【特許文献】
【０００７】
【特許文献１】特開２００６−１２４０６４号公報
【発明の概要】
【発明が解決しようとする課題】
【０００８】
ここで、主ロープの伸びが設定された規定値を越え、特許文献１に開示された従来のエレベータの主ロープ張力調整装置を用いてエレベータの複数の主ロープの長さを調整する場合、まず、各ロックナットと各張力調整ナットとの間にジャッキが挿入できる位置まで各ロックナットを回して動かし、支持材とプレートを各シンブルロッドに係合させる。そして、これら支持材とプレートとの間にジャッキを挿入させて設置し、続いてジャッキを伸長させてプレートと支持材との間隔を押し広げて、各張力調整ナットにかかる乗かごと釣合い錘の重さによる影響を除き、これにより各シンブルロッドにおける張力調整ナットの移動を容易にしている。
【０００９】
このように、各ロックナットに乗かごと釣合い錘の重さが加えられた状態で、ジャッキを伸長させてプレートと支持材との間隔を押し広げることにより、各ロックナットにかかる乗かごと釣合い錘の重さに対抗してロックナットとシンブルロッドを上方へ直接移動させているので、ジャッキに非常に大きな負担がかかる。そのため、この負担に応じてジャッキが大型かつ重量化し、昇降路内へのジャッキの運搬作業及び設置作業に多大な労力がかかる。特に、油圧ジャッキを用いる場合には、駆動源も必要となるので、油圧ジャッキ及びその駆動源の運搬作業及び設置作業に時間がかかる。このように、装置の運搬作業及び設置作業を含めて主ロープの長さを調整する作業の能率が低くなり易い問題がある。
【００１０】
本発明は、このような従来技術の実情からなされたもので、その目的は、ジャッキを用いることなく、主ロープの長さを調整するエレベータの主ロープ張力調整装置及び主ロープ張力調整方法を提供することにある。
【課題を解決するための手段】
【００１１】
上記の目的を達成するために、本発明のエレベータの主ロープ張力調整装置は、乗かご及び釣合い錘を懸垂する複数の主ロープの先端にそれぞれ連結されたシンブルロッドと、これらシンブルロッドの一端を導出させた状態でこのシンブルロッドを保持する保持部材と、前記各シンブルロッドにそれぞれ螺合した張力調整ナットと、これらの張力調整ナットをそれぞれ締付けるロックナットと、前記各張力調整ナットと前記保持部材との間にそれぞれ設けられたばね部材とを有するエレベータに備えられ、前記各シンブルロッドに係合し、前記ばね部材の上端側に当接するプレートと、前記各シンブルロッドに係合し、前記ロックナットそれぞれの下端側に当接してこれらのロックナットを支持する支持材とを備え、前記複数の主ロープの張力を均等に調整するエレベータの主ロープ張力調整装置において、前記プレートと前記保持部材とを挟持して前記ばね部材を圧縮可能な狭圧治具を備えたことを特徴としている。
【００１２】
このように構成した本発明は、主ロープに伸びが発生している場合に、各シンブルロッドに係合した支持材がロックナットそれぞれの下端側から各ロックナットをそれぞれ支持し、狭圧治具でばね部材の上端側に当接するプレートと保持部材とを挟持してばね部材を圧縮することにより、各張力調整ナットにかかっている乗かごと釣合い錘の重さが支持材を介して徐々に各ロックナットに移る。そして、各張力調整ナットにかかっている乗かごと釣合い錘の重さが完全に各ロックナットに移った後、さらにこの狭圧治具の挟持力によってばね部材を圧縮することにより、各張力調整ナットがプレートに当接しなくなるので、各張力調整ナットはこのプレートを介して受けていたばね部材によるばね力や乗かごと釣合い錘の重さもかかっていない状態となる。これにより、各シンブルロッドにおける張力調整ナットの移動が容易になる。
【００１３】
そして、各シンブルロッドにおける張力調整ナットの位置を主ロープの伸びに応じて下方へ移動させて主ロープの長さを調整した後、狭圧治具の挟持力を除々に解放して各ばね部材のばね力を各張力調整ナットに与えることにより、各ロックナットに掛かる乗かごと釣合い錘の重さに対抗してばね部材に対してロックナット、シンブルロッド、及び張力調整ナットを上方へ移動させ、主ロープの伸びに応じて主ロープの長さを容易に調整することができる。
【００１４】
前述のように本発明は、乗かごと釣合い錘による負荷がかかった各ロックナットを支持材で支持させている間に、狭圧治具でプレートと保持部材とを挟持して圧縮し、狭圧治具の挟持力を各ばね部材のばね力に変換してこのばね力を利用することにより、ジャッキを用いることなく、主ロープの長さを容易に調整することができる。
【００１５】
また、本発明に係るエレベータの主ロープ張力調整装置は、前記発明において、前記支持材は、開口部を下方に向けて前記保持部材に立設するコ字型形状に形成され、前記シンブルロッドに係合する溝又は貫通孔とを有することを特徴としている。このように構成すると、支持材は保持部材を基盤として乗かごと釣合い錘の重さがかかる各ロックナットを支持することができるので、安定した支持構造を実現することができる。これにより、狭圧治具でプレートと保持部材とを挟持して圧縮する際に、作業者が支持材を保持する必要がないので、主ロープの長さを調整する作業における労力を軽減することができる。
【００１６】
また、本発明に係るエレベータの主ロープ張力調整装置は、前記発明において、前記狭圧治具は荷締めベルトから成ることを特徴としている。このように構成すると、荷締めベルトがプレート及び保持部材に巻き付けられるので、荷締めベルトやプレートが外れて落下することを防止することができる。
【００１７】
また、本発明に係るエレベータの主ロープ張力調整装置は、前記発明において、前記狭圧治具はシャコ万力から成ることを特徴としている。このように構成すると、支持材とプレートとの間の間隔が狭くてもシャコ万力を容易に配置してプレートと保持部材とを挟持することができるので、取り付け作業や取り外し作業を含めた主ロープの長さを調整する作業全体の効率を向上させることができる。
【００１８】
また、本発明に係るエレベータの主ロープ張力調整方法は、乗かご及び釣合い錘を懸垂する複数の主ロープの先端にそれぞれ連結されたシンブルロッドと、これらシンブルロッドの一端を導出させた状態でこのシンブルロッドを保持する保持部材と、前記各シンブルロッドにそれぞれ螺合した張力調整ナットと、これらの張力調整ナットをそれぞれ締付けるロックナットと、前記各張力調整ナットと前記保持部材との間にそれぞれ設けられたばね部材とを有するエレベータに備えられ、前記各シンブルロッドに係合し、前記ばね部材の上端側に当接するプレートと、前記各シンブルロッドに係合し、前記ロックナットそれぞれの下端側に当接してこれらのロックナットを支持する支持材と、前記プレートと前記保持部材とを挟持して前記ばね部材を圧縮可能な狭圧治具とを備え、前記複数の主ロープの張力を均等に調整するエレベータの主ロープ張力調整装置に用いるエレベータの主ロープ張力調整方法において、前記各ロックナットを緩めて前記支持材をこれらのシンブルロッドに係合させ、前記ロックナットそれぞれの下端側に当接させてこれらのロックナットを支持すると共に、前記プレートを前記各シンブルロッドに係合させて前記各ばね部材の上端側に当接し、その後前記狭圧治具の力によって前記プレートと前記保持部材とを挟持し、前記各ばね部材を圧縮し、この状態で前記張力調整ナットによって前記各ばね部材を締付け、前記狭圧治具による前記プレートと前記保持部材に与えていた挟持力を解放することにより、圧縮していた前記各ばね部材を伸長させて前記プレート、前記張力調整ナット、及び前記シンブルロッドを前記ばね部材のばね力によって上方に移動させ、この状態で前記狭圧治具を前記プレートと前記保持部材とから取り外し、次に前記プレートを前記各シンブルロッドから取り外すと共に、前記支持材を前記各シンブルロッドから取り外して前記各ロックナットを前記張力調整ナットに締付けることを特徴としている。
【発明の効果】
【００１９】
本発明のエレベータの主ロープ張力調整装置及び主ロープ張力調整方法は、主ロープに張力を与えるばね部材の上端側に当接するプレートと、シンブルロッドを保持する保持部材とを挟持してばね部材を圧縮可能な狭圧治具を介して主ロープの張力を調整するようにしたことから、ジャッキやその駆動源を用いることなく、荷締めベルト等の狭圧治具によって主ロープの長さを容易に調整できるので、装置の運搬作業及び設置作業の労力を軽減することができ、主ロープの長さを調整する作業全体の能率を向上させることができる。
【図面の簡単な説明】
【００２０】
【図１】本発明に係る主ロープ張力調整装置の第１実施形態が備えられるエレベータの構成を示す図である。
【図２】図１に示す保持機構を拡大して示す図である。
【図３】本発明に係るエレベータの主ロープ張力調整装置の第１実施形態の構成を示す図である。
【図４】本発明の第１実施形態に備えられるプレートの構成を示す斜視図である。
【図５】本発明の第１実施形態に備えられる支持材の構成を示す斜視図である。
【図６】本発明の第１実施形態に係る主ロープ張力調整装置における主ロープ張力調整方法の一実施形態を示す図である。
【図７】本発明に係るエレベータの主ロープ張力調整装置の第２実施形態の構成を示す図である。
【発明を実施するための形態】
【００２１】
以下、本発明に係るエレベータの主ロープ張力調整装置及び主ロープ張力調整方法を実施するための形態を図に基づいて説明する。
【００２２】
［主ロープ張力調整装置の第１実施形態］
本発明に係るエレベータの主ロープ張力調整装置の第１実施形態が備えられるエレベータは、図１に示すように昇降路１内に設置されたガイドレール５０に案内されて昇降する乗かご４と、この乗かご４と同様に昇降路１内に設置されたガイドレール５０に案内され、乗かご４と相対的に昇降する釣合い錘６と、昇降路１の下部に設置され、シーブ１２を有する巻上機１３とを備えている。
【００２３】
また、エレベータは、乗かご４の下部に取り付けられたかごガイドプーリ２，３と、昇降路１内の上部に設けられ、後述の保持部材に取り付けられた２つの頂部ガイドプーリ８，９と、釣合い錘６の上部に取り付けられたおもりガイドプーリ５と、おもりガイドプーリ５、頂部ガイドプーリ９、巻上機１３のシーブ１２、頂部ガイドプーリ８、かごガイドプーリ２，３の順に巻掛けられ、図１には１本しか図示されていないが、乗かご４と釣合い錘６とを懸垂する複数の主ロープ１４、例えば図２に示すように３本の主ロープ１４とを備えている。
【００２４】
さらに図１に示すように、エレベータは、上述の主ロープ１４の両端を昇降路１の上部にそれぞれ固定して昇降路１内に主ロープ１４を保持する一組の保持機構１０を備えている。図２に示すように、この保持機構１０は、３本の主ロープ１４の先端にロープソケット１５を介してそれぞれ連結されたシンブルロッド１１と、これらシンブルロッド１１の一端を導出させた状態で保持する保持部材、例えば図３に示すように水平に配置される上片７ａとこの上片７ａに垂直に設けられた側片７ｂとから成る梁７と、各シンブルロッド１１にそれぞれ螺合した張力調整ナット１６と、これらの張力調整ナット１６をそれぞれ締付けるロックナット１７と、各張力調整ナット１６と梁７との間に間座１８を介してそれぞれ設けられ、主ロープ１４に張力を与えるばね部材１９とを有している。
【００２５】
図３に示すように、本発明の第１実施形態は、各シンブルロッド１１に係合し、各ばね部材１９の上端側に間座１８を介して当接するプレート２２と、各シンブルロッド１１に係合し、ロックナット１７それぞれの下端側に当接してこれらのロックナット１７を支持する支持材２１と、プレート２２と梁７とを挟持してばね部材１９を圧縮可能な狭圧治具、例えば荷締めベルト２３とを備えている。
【００２６】
また図４に示すように、プレート２２には、各張力調整ナット１６に係合するように張力調整ナット１６の外径よりも大きく、間座１８の外径よりも小さい３つのＵ字溝２２ａが設けられている。さらに図５に示すように、支持材２１は、開口部２１ｂを下方に向けて梁７に立設するコ字型形状に形成され、各シンブルロッド１１に係合するようにシンブルロッド１１の外径よりも大きく、ロックナット１７の外径よりも小さい３つのＵ字溝２１ａを有している。
【００２７】
このように構成した第１実施形態に係る主ロープ張力調整装置にあっては例えば以下のようにして主ロープの張力が調整される。
【００２８】
図６は本発明の第１実施形態に係る主ロープ張力調整装置における主ロープ張力調整方法の一実施形態を示す図である。
【００２９】
ここで、仮に図３に示す３本の主ロープ１４に伸びＳが発生した際の、各主ロープ１４の長さをＳだけ調整する場合について説明する。図６のＡに示すように、まず、各ロックナット１７を緩めて図５に示す支持材２１のＵ字溝２１ａを３つのシンブルロッド１１にそれぞれ係合させ、ロックナット１７それぞれの下端側に当接してこれらのロックナット１７を支持させると共に、図４に示すプレート２２のＵ字溝２２ａを３つのシンブルロッド１１にそれぞれ係合して各ばね部材１９の上端側に当接させる。このとき、各ばね部材１９の長さは図６のＡに示すようにＬ１となっている。
【００３０】
その後、図６のＢに示すように、荷締めベルト２３を、プレート２２のうちシンブルロッド１１間の部分と梁７のうちこれらシンブルロッド１１に対応するロープソケット１５間の部分とを巻き付けて挟持し、各ばね部材１９を圧縮する。このとき、各ばね部材１９の長さはＬ２となっており、各張力調整ナット１６と各間座１８との間は、Ｌ１とＬ２の差である間隔Ｓだけ空いている。
【００３１】
そして、図６のＣに示すように、この状態で各シンブルロッド１１において張力調整ナット１６を回して間隔Ｓだけ下方へ移動させて張力調整ナット１６によって各ばね部材１９を締付け、図６のＤに示すように、荷締めベルト２３によるプレート２２と梁７に与えていた挟持力を解放することにより、圧縮していた各ばね部材１９を伸長させてプレート２２、張力調整ナット１６、及びシンブルロッド１１を各ばね部材１９のばね力によって上方に移動させる。このとき、各ばね部材１９が元の状態に戻るので、これらプレート２２、張力調整ナット１６、及びシンブルロッド１１はそれぞれＳだけ上方に移動する。
【００３２】
次に、この状態で荷締めベルト２３をプレート２２と梁７とから取り外し、最後にプレート２２を各シンブルロッド１１から取り外すと共に、支持材２１を各シンブルロッド１１から取り外して各ロックナット１７を回して張力調整ナット１６に締付ける。
【００３３】
このように構成した主ロープ張力調整装置の第１実施形態及び主ロープ張力調整方法の一実施形態によれば、各シンブルロッド１１に係合して梁７上に立設する支持材２１がロックナット１７それぞれの下端側から各ロックナット１７をそれぞれ支持し、荷締めベルト２３で各ばね部材１９の上端側に当接するプレート２２と梁７とを挟持して各ばね部材１９を圧縮することにより、図６のＡに示すように各張力調整ナット１６にかかっている乗かご４と釣合い錘６の重さＷが支持材２１を介して徐々に各ロックナット１７に移る。そして、各張力調整ナット１７にかかっている乗かご４と釣合い錘６の重さＷが完全に各ロックナット１７に移った後、さらにこの荷締めベルト２３の挟持力によってばね部材１９をＳだけ圧縮することにより、各張力調整ナット１６がプレート２２に当接しなくなるので、各張力調整ナット１６はこのプレート２２を介して受けていたばね部材１９によるばね力や乗かご４と釣合い錘６の重さもかかっていない状態となる。これにより、各シンブルロッド１１における張力調整ナット１６の移動が容易になる。
【００３４】
そして、各シンブルロッド１１における張力調整ナット１６の位置を各主ロープ１４の伸びに応じてＳだけ下方へ移動させた後、荷締めベルト２３の挟持力を除々に解放して各ばね部材１９のばね力を各張力調整ナット１６に与えることにより、各ロックナット１７に掛かる乗かご４と釣合い錘６の重さに対抗してばね部材１９に対してプレート２２、張力調整ナット１６、シンブルロッド１１、及びロックナット１７を上方へＳだけ移動させているので、各主ロープ１４の伸びＳに応じて主ロープ１４の長さを容易に調整することができる。
【００３５】
このように、乗かご４と釣合い錘６による負荷がかかった各ロックナット１７を支持材２１で支持させている間に、荷締めベルト２３でプレート２２と梁７とを挟持して圧縮し、荷締めベルト２３の挟持力を各ばね部材１９のばね力に変換してこのばね力を利用することにより、ジャッキやその駆動源を用いることなく、荷締めベルト２３によって各主ロープ１４の長さを容易に調整できるので、装置の運搬作業及び設置作業の労力を軽減することができ、主ロープ１４の長さを調整する作業全体の能率を向上させることができる。
【００３６】
また、本発明の主ロープ張力調整装置の第１実施形態は、支持材２１が、開口部２１ｂを下方に向けて梁７に立設するコ字型形状に形成されており、各シンブルロッド１１に係合するようにシンブルロッド１１の外径よりも大きく、ロックナット１７の外径よりも小さい３つのＵ字溝２１ａを有している。そのため、支持材２１は梁７を基盤として乗かご４と釣合い錘６の重さがかかる各ロックナット１７を支持し、さらに３つのＵ字溝２１ａがシンブルロッド１１にそれぞれ係合することにより、安定した支持構造を実現することができる。これにより、荷締めベルト２３でプレート２２と梁７とを挟持して圧縮する際に、作業者が支持材２１を保持する必要がないので、主ロープ１４の長さを調整する作業における労力を軽減することができ、利便性が良い。
【００３７】
また、本発明の主ロープ張力調整装置の第１実施形態は、プレート２２のＵ字溝２２ａが各張力調整ナット１６にそれぞれ係合した状態で荷締めベルト２３を、プレート２２のうちシンブルロッド１１間の部分と梁７のうちこれらシンブルロッド１１に対応するロープソケット１５間の部分とを巻き付けて挟持することにより、荷締めベルト２３がプレート２２及び梁７に巻き付けられて堅実に保持できるので、荷締めベルト２３やプレート２２が外れて落下することを防止することができ、高い安全性を確保することができる。
【００３８】
［主ロープ張力調整装置の第２実施形態］
図７は本発明に係るエレベータの主ロープ張力調整装置の第２実施形態の構成を示す図である。
【００３９】
図７に示すように、本発明に係る主ロープ張力調整装置の第２実施形態が前述した第１実施形態と異なるのは、狭圧治具が荷締めベルト２３の代わりにシャコ万力２４から成ることであり、その他の構成は第１実施形態と同じである。この場合、シャコ万力２４はプレート２２のうちシンブルロッド１１間の部分の上面と梁７の上辺７ａの裏面のうちこれらシンブルロッド１１に対応するロープソケット１５間の部分とを挟持し、各ばね部材１９を圧縮する。
【００４０】
このように構成した本発明の第２実施形態は、狭圧治具がシャコ万力２４から成っていることにより、支持材２３とプレート２２との間の間隔が狭くてもシャコ万力２４をプレート２２の上面と梁７の上辺７ａの裏面に合わせて容易に配置できるので、シャコ万力２４の取り付け作業や取り外し作業を含めた主ロープ１４の長さを調整する作業全体の効率を向上させることができる。
【００４１】
なお、上述した主ロープ張力調整装置の各第１、第２実施形態は、荷締めベルト２３及びシャコ万力２４をそれぞれ１つ用いた場合について説明したが、荷締めベルト２３及びシャコ万力２４をそれぞれ複数用いても良い。この場合、荷締めベルト２３又はシャコ万力２４の挟持力を高めることができるので、容易にばね部材１９を圧縮することができる。これにより、各ばね部材１９の安定した圧縮状態を実現できるので、主ロープ１４の長さを調整する作業の安全性を向上することができる。
【符号の説明】
【００４２】
１  昇降路
２，３  かごガイドプーリ
５  錘ガイドプーリ
６  釣合い錘
７  梁（保持部材）
７ａ  上片
７ｂ  側片
８，９  頂部ガイドプーリ
１０  保持機構
１１  シンブルロッド
１２  シーブ
１３  巻上機
１４  主ロープ
１５  ロープソケット
１６  張力調整ナット
１７  ロックナット
１８  間座
１９  ばね部材
２１  支持材
２１ａ，２２ａ  Ｕ字溝
２１ｂ  開口部
２２  プレート
２３  荷締めベルト（狭圧治具）
２４  シャコ万力（狭圧治具）
５０  ガイドレール
【図１】
2011079639.tif 000003
【図２】
2011079639.tif 000004
【図３】
2011079639.tif 000005
【図４】
2011079639.tif 000006
【図５】
2011079639.tif 000007
【図６】
2011079639.tif 000008
【図７】
2011079639.tif 000009